(57)【要約】【課題】本発明は、線径が細い線香にも使用することができるとともに、線香の燃焼時の熱を奪い難くすることにより、熱を奪われることに起因していた立ち消えを防止することを課題とする。【解決手段】上面が開口するように底壁底壁２０と周壁２１ａ、２１ｂ、２１ｃ、２１ｄとを備えた容器２と、該容器２に取り付けられ且つ金属線条材からなる線香支持部材３とを備え、前記線香支持部材３は、金属線条材を曲げることにより、渦巻状のお香や蚊取り線香等の線香を保持台に接触しないように支持する支持部３０と、該支持部から両側に延設され且つ前記容器２に架設される一対の架設部３１と、各架設部の先端から下方に屈曲形成され且つ金属線条材の弾性力により容器２を外側から挟持する脚部３３とを備えている。【選択図】  図１
2008259466.tif 000002
【特許請求の範囲】
【請求項１】
保持台と、該保持台に取り付け可能な金属線条材からなる線香支持部材とを備え、前記線香支持部材は、金属線条材を曲げることにより、渦巻状のお香や蚊取り線香等の線香を、保持台に接触しないように支持する支持部が設けられていることを特徴とする線香保持具。
【請求項２】
前記保持台は、上面が開口するように底壁と周壁とを備えた容器からなり、前記線香支持部材の両端部は、支持部に支持された線香が容器内に臨むように、容器に架設される請求項１に記載の線香保持具。
【請求項３】
前記容器は陶磁器からなる請求項２に記載の線香保持具。
【請求項４】
前記請求項２に記載の線香保持具に使用可能で且つ金属線条材を曲げることにより形成された線香支持部材であって、渦巻状のお香や蚊取り線香等の線香を支持する支持部と、該支持部から両側に延設され且つ前記容器に架設される一対の架設部と、各架設部の先端から下方に屈曲形成され且つ金属線条材の弾性力により容器を外側から挟持する脚部とを備えていることを特徴とする線香支持部材。
【請求項５】
前記支持部は、線香の内側の端部が挿入または係止できるように、金属線条材をねじることにより環状に形成されている請求項４に記載の線香保持具。
【請求項６】
前記架設部は、前記支持部から先端側に向けて前記支持部側に傾斜されている請求項４または５に記載の線香保持具。
【発明の詳細な説明】
【技術分野】
【０００１】
本発明は、渦巻状のお香や蚊取り線香などを保持する線香保持具および支持部材に関するものである。
【背景技術】
【０００２】
従来、蚊取り線香などを立てる線香立てとしては、金属製の板材から形成されたものが周知である（例えば、特許文献１参照）。かかる線香立ては、基盤と爪部分とを、金属製の板材をプレス加工によって打抜き成形したもの、または、基盤に爪部分となる爪体の一端部を固着して形成したものである。
【０００３】
爪部分は、一端部を基端にして上方に折り曲げて立上げることができるとともに、爪部分の先端部は二股になっている。
【０００４】
このように形成された従来の線香立てを使用する際には、爪部分を基盤に対して略９０度に立上げ、次に、爪部分の先端部を渦巻状の蚊取り線香の中心部に設けられた穴に挿通したり、または、二股部分で挟んだりして、線香を直接支持していた。
【特許文献１】登録実用新案第３０２００４７号公報
【発明の開示】
【発明が解決しようとする課題】
【０００５】
しかしながら、前記従来の線香立ては、金属製の爪部分の先端部を線香の中心部に設けられた穴に挿通して線香を支持する場合、爪部分の先端部と線香の中心部との接触面積が大きくなり、燃焼時の熱が爪部分の先端部に奪われ易く、立ち消えが発生し燃え残り部分が残存していた。
【０００６】
また、前記従来の線香立ては、爪部分の先端部を線香に挿通させたり、線香を爪部分の二股部分に挟んだりすることにより、線香を支持する構成であるため、例えば、お香等のように線径が細い渦巻き状の線香には使用することができなかった。
【０００７】
本発明は、線径が細い線香にも使用することができるとともに、線香の燃焼時の熱を奪い難くすることにより、熱を奪われることに起因していた立ち消えを防止することを課題とする。
【課題を解決するための手段】
【０００８】
本発明の線香保持具および線香支持部材は、前記課題を解決するためになされたもので、線香保持具としての特徴は、保持台と、該保持台に取り付けられ且つ金属線条材からなる線香支持部材とを備え、前記線香支持部材は、金属線条材を曲げることにより、渦巻状のお香や蚊取り線香等の線香を、保持台に接触しないように支持する支持部が設けられていることにある。
【０００９】
前記本発明の線香保持具は、線香を支持部で支持した状態で燃焼させても、線香は細い金属線条材からなる支持部で支持されていることから、支持部の線香への接触面積が小さくなり、線香の燃焼時の熱が線香支持部材に奪われ難くなり、熱を奪われることに起因していた線香の立ち消えを防止できる。
【００１０】
しかも、支持部は、金属線条材を曲げることにより形成されるので、線香の線径に応じた任意の形状のものが形成でき、線径の大小に関係なく任意の種類の線香を支持することができる。
【００１１】
本発明の線香保持具の前記保持台は、上面が開口するように底壁と周壁とを備えた容器からなり、前記線香支持部材の両端部は、支持部に支持された線香が容器内に臨むように、容器に架設されることにある。しかも、前記容器は陶磁器からなるのが好ましい。
【００１２】
本発明の線香支持部材は、渦巻状のお香や蚊取り線香等の線香を支持する支持部と、該支持部から両側に延設され且つ前記容器に架設される一対の架設部と、各架設部の先端から下方に屈曲形成され且つ金属線条材の弾性力により容器を外側から挟持する脚部とを備えている。
【００１３】
前記本発明の線香支持部材は、線香支持部材が線香の重みで前のめりになったり、多少の振動が加わっても不用意に揺れたりすることもない。
【００１４】
本発明の線香支持部材の前記支持部は、線香の内側の端部が挿入または係止できるように、金属線条材をねじることにより環状に形成されている。かかる場合には、支持部の環状形状が変形するのを防止できる。
【００１５】
本発明の線香支持部材の前記架設部は、前記支持部から先端側に向けて前記支持部側に傾斜されている。かかる場合には、線香を支持部で支持し、線香の外周部が各架設部に点接触するため、線香は支持部および両架設部の３点で支持され安定させることができる。
【発明の効果】
【００１６】
本発明は、線香支持部材を金属線条材から形成することにより、線径が細い渦巻状の線香にも使用することができるとともに、線香の燃焼時の熱を奪い難くすることで、熱を奪われることに起因していた線香の立ち消えを防止できる。
【発明を実施するための最良の形態】
【００１７】
以下、本発明の実施の形態について図面を参照しながら説明する。
【００１８】
図１〜図３は本発明の一実施の形態にかかる線香保持具１を示す。かかる線香保持具１は、保持台２と該保持台２に着脱自在に取り付け可能な線香支持部材３とから構成されている。
【００１９】
保持台２として、本実施の形態では、陶磁器等の不燃性材料からなる容器を採用する。この容器２は、平面視において矩形状を呈し、底壁２０と４面の周壁２１ａ、２１ｂ、２１ｃ、２１ｄとを有した上面が開口するものである。
【００２０】
互いに対向する周壁（図１において左右の周壁）２１ｃ、２１ｄのそれぞれの上面で、且つ前後方向の中央部には、凹部２２、２２が形成されている。容器２は陶磁器（磁器）製のものを採用することにより、鑑賞用として使用することもできる。また。陶磁器製の容器２は、型により容易に成形することができる。
【００２１】
前記支持部材３は、細い金属線条材を適宜曲げることにより形成したもので、環状の支持部３０と、この支持部３０から両側に延設された一対の架設部３１、３１と、各架設部３１、３１の先端から屈曲部３２を介して下方に屈曲形成された脚部３３、３３とを備えている。なお、各脚部３３、３３の先端部は、金属線条材の両端部を円形に湾曲して形成された押圧部３４、３４がそれぞれ設けられている。
【００２２】
支持部３０は、お香や蚊取り線香等の渦巻状の線香５の内側の端部５ａが挿通できるように、金属線条材を数回ねじることにより環状に形成されている。このようにねじれ部３５を形成することにより、支持部３０の口径が変化することなく一定となり、支持部３０の変形を防止している。なお、支持部３０の口径の大きさは、支持する渦巻状の蚊取り線香の太さ（線径）に応じて適宜決定される。
【００２３】
両方の架設部端の長さＬ１は、図３（ｂ）に示すように容器２の周壁２１ｃ、２１ｄの外面間の幅長と略同等に設定されており、架設部３１、３１の端部が、容器２の周壁２１ｃ、２１ｄの上面に形成された凹部２２に上方から嵌合されるようになっている。これにより、支持部材３は、支持部３０が平面視において容器の略中央に位置するように位置決めされる。
【００２４】
図３（ａ）に示すように、支持部３０は架設部３１、３１のねじれ側より前方に位置し、架設部３１、３１は、支持部３０を中心にして先端側に向けて支持部３０側（前面側に傾斜する「く」の字状）に傾斜している。このように、架設部３１、３１を傾斜させることにより、線香５の内側の端部５ａを支持部３０に挿通して線香５を支持した際に、線香５の外周部５ｂが各架設部３１、３１に点接触することとなる。この結果、線香５は支持部３０および両架設部３１、３１の３点で支持されるため、線香５を安定させることができる。
【００２５】
脚部３３、３３は、バネ機能を有しており、その弾性力により押圧部３４、３４を周壁２１ｃ、２１ｄに押圧付勢し、容器２の周壁２１ｃ、２１ｄを両外側から挟持するようになっている。
【００２６】
次に、前記構成からなる線香保持具１を使用する場合について説明する。先ず、線香支持部材３の架設部３１、３１を、容器２の周壁２１ｃ、２１ｄに架設させる。このとき、線香支持部材３の脚部３３、３３の押圧部３４、３４が容器２の周壁２１ｃ、２１ｄを摺動し、各架設部３１、３１の端部が、周壁２１ｃ、２１ｄ上面の凹部２２に上方から嵌合されるため、線香支持部材３を容器２の所定位置に容易に取り付けることができる。
【００２７】
さらに、容器２に架設されている線香支持部材３の支持部３０に、渦巻状の線香５の内側の端部５ａを挿通する。線香５は、容器２内に臨み、その巻き径方向が容器２の左右方向を向くとともに、容器２の底壁２０および周壁２１ａ、２１ｂ、２１ｃ、２１ｄから離間した浮いた状態に保持される。しかも、図３（ａ）に示すように、線香５の外周部５ｂが各架設部３１、３１に点接触するため、線香５は支持部３０および両架設部３１、３１の３点で支持され安定する。
【００２８】
なお、容器２に線香支持部材３を取り付けた後に、その線香支持部材３で線香５を支持する場合について説明したが、線香支持部材３の支持部３０に線香５を挿通し、その後に、線香５および線香支持部材３を容器２に取り付けることも可能である。
【００２９】
線香５は、金属線条材から形成した線香支持部材３で支持されているため、線香支持部材３との接触面積が小さくなり、線香５の燃焼時の熱が線香支持部材３に奪われるのを防止でき、線香５は外側端部から内側の端部５ａまで燃え残ることなく、ほとんど燃焼させることができる。
【００３０】
しかも、線香支持部材３の脚部３３、３３は、押圧部３４、３４を容器２の周壁２１ｃ、２１ｄに押圧付勢することにより、容器２を両側から挟持しているとともに、架設部３１、３１が周壁２１ｃ、２１ｄ上面の凹部２２に嵌合されているため、線香支持部材３が線香５の重みで前のめりになったり、多少の振動が加わってもずれたりすることもない。
【００３１】
また、容器２は、陶磁器製のものを採用することにより、鑑賞用として使用する以外に、例えば、周壁２１ｃ、２１ｄ上面の凹部２２を利用し、この凹部２２の煙草を載置して灰皿として使用するものであってもよい。
【００３２】
次に、支持部材３の他の実施の形態について説明する。なお、同一部材は同一符号を付してそれぞれの説明は省略する。
【００３３】
図４（ａ）および（ｂ）に示す実施の形態は、前記支持部材３の架設部３１、３１を傾斜させることなく、直線状に設けたものである。この支持部材３は、ねじれ部３５を前方に向けて支持部３０を架設部３１、３１から所定距離だけ離間させることにより、線香５が架設部３１、３１に接触するのを防止できる。
【００３４】
図５（ａ）および（ｂ）に示す実施の形態は、前記支持部材３の架設部３１、３１を直線状に設け、しかも、ねじれ部３５が設けられていないものである。従って、支持部３０は、架設部３１、３１から略並行に延設された連結部３７、３７を有している。
【００３５】
図６（ａ）および（ｂ）に示す実施の形態は、支持部３０が架設部３１、３１の直線上に位置するように、円形に湾曲形成されている。そして、この支持部３０に線香５の内側の端部５ａを挿入する。線香５は巻き径方向が、容器２の前後方向を向くように支持される。
【００３６】
図７および図８（ａ）および（ｂ）に示す実施の形態は、支持部３０を下向きＵ字状に形成している。すなわち、支持部３０は、架設部３１、３１から略並行に延設された連結部３８、３８と、略半円形の湾曲部３９とからなる。そして、この支持部３０に線香５の内側の端部５ａを係止することにより、線香５を吊り下げた状態で支持する。なお、支持部３０は、連結部３８、３８で線香５を挟持するようにしてもよい。
【００３７】
図９（ａ）および（ｂ）に示す実施の形態は、支持部３０を環状に形成するとともに、上向きのＵ字状に湾曲形成している。そして、この支持部３０に線香５の内側の端部５ａを係止することにより、線香５を吊り下げた状態で使用する。
【００３８】
図１０（ａ）および（ｂ）に示す実施の形態は、支持部３０を下向きの略Ω状に湾曲形成することにより形成している。すなわち、支持部３０は、線香５よりも外側に位置するように大径に形成されるとともに、架設部３１、３１との連結部４０、４０が、鋭角に屈曲形成されている。そして、連結部４０、４０は、所定の間隔を有しており、連結部４０、４０で線香５の内側の端部５ａを挟持する構成である。
【００３９】
本発明は前記実施の形態に限定されるものではない。支持部３０は、口径の異なる複数種類のものを準備しておいて、お香または蚊取り線香等の任意の線香に応じて使い分けることも可能である。
【００４０】
また、容器２の形状も矩形状に限定されるもではなく、その他の任意の形状とすることが可能である。
【図面の簡単な説明】
【００４１】
【図１】本発明の線香保持具の一実施形態を示す全体斜視図である。
【図２】同線香を支持した状態の全体斜視図である。
【図３】本発明の線香支持部材を示し、（ａ）は平面図、（ｂ）は正面図である。
【図４】本発明の線香保持具の他の実施形態を示し、（ａ）は図１に対応する斜視図、（ｂ）は図２に対応する斜視図である。
【図５】同他の実施形態を示し、（ａ）は図１に対応する斜視図、（ｂ）は図２に対応する斜視図である。
【図６】同他の実施形態を示し、（ａ）は図１に対応する斜視図、（ｂ）は図２に対応する斜視図である。
【図７】同他の実施形態を示す図１に対応する全体斜視図である。
【図８】同他の実施形態を示し、（ａ）は図２に対応する斜視図、（ｂ）は線香支持部材を示す正面図である。
【図９】同他の実施形態を示し、（ａ）は図１に対応する斜視図、（ｂ）は図２に対応する斜視図である。
【図１０】同他の実施形態を示し、（ａ）は図１に対応する斜視図、（ｂ）は図２に対応する斜視図である。
【符号の説明】
【００４２】
１      線香保持具
１      容器（保持台）
３      線香支持部材
５      線香
５ａ    内側の端部５ａ
５ｂ    外周部
２０    底壁
２１ａ、２１ｂ、２１ｃ、２１ｄ      周壁
２２    凹部
３０    支持部
３１    架設部
３３    脚部
３４    押圧部
３５    ねじれ部
【図１】
2008259466.tif 000003
【図２】
2008259466.tif 000004
【図３】
2008259466.tif 000005
【図４】
2008259466.tif 000006
【図５】
2008259466.tif 000007
【図６】
2008259466.tif 000008
【図７】
2008259466.tif 000009
【図８】
2008259466.tif 000010
【図９】
2008259466.tif 000011
【図１０】
2008259466.tif 000012